(57)【要約】【課題】プラスチック段ボール板と表面材との間に剥離が生じても、外部から剥離部分内に侵入した空気によって、剥離領域が次第に拡大するのを防止できるようにする。【解決手段】中空のプラスチック段ボール板２を用いて、プラスチック段ボール函１を製作する。プラスチック段ボール板２の表面に、美粧印刷３ａが施されている表面材３を接合する。表面材３の周縁近傍位置に、複数の小孔４を設ける。表面材３の周縁近傍位置に剥離が生じ、この剥離部分に、外部から空気が侵入した場合であっても、侵入した空気を小孔４から外部にスムースに排出することができる。【選択図】　　　　図１
0003098914.tif 000002
【実用新案登録請求の範囲】
【請求項１】
押出し一体成型により形成される中空のプラスチック段ボール板の素材表面に、合成樹脂シート又はフィルム製の表面材が接合されている板材で形成した函体からなり、前記表面材には、任意数の小孔が形成されていることを特徴とするプラスチック段ボール函。
【請求項２】
小孔は、函体の各面における周縁近傍位置に設けられていることを特徴とする請求項１記載のプラスチック段ボール函。
【請求項３】
表面材には、美粧印刷が施されていることを特徴とする請求項１又は２記載のプラスチック段ボール函。
【考案の詳細な説明】
【０００１】
【考案の属する技術分野】
本考案は、押出し一体成型により形成した中空のプラスチック段ボール板を用いて製作されるプラスチック段ボール函に係り、特に函体とその表面に接合される表面材との間の剥離領域の拡大を防止することができるプラスチック段ボール函に関する。
【０００２】
【従来の技術】
従来から、押出し一体成型により形成した中空のプラスチック段ボール板を用いて、プラスチック段ボール函を製作することは汎く行われており、また前記プラスチック段ボール板の素材表面に、合成樹脂シート又はフィルム製の表面材を接合することも汎く行われている。
【０００３】
【考案が解決しようとする課題】
ところで、プラスチック段ボール板において、プラスチック段ボール板のリブの部分とリブ間の部分とでは、使用しているプラスチックの量が異なるため、成型後の引け等の関係で、素材表面にわずかながら凹凸が生じることになる。このため、素材表面に表面材を接合した場合、接合面の接合強度に斑が生じ、表面材が剥がれ易いという問題がある。
【０００４】
また、函体の各面における周縁部分では、一旦剥離が生じると、剥離領域が次第に拡大し、やがては大きな剥離に伸展するという問題がある。
【０００５】
本考案者等が幾多の実験によりその原因を究明した処、函体の蓋開放動作等により、剥離部分に侵入した空気が、函体の蓋閉止動作動等により、素材表面と表面材との間で押圧され、これが剥離力として作用するからであることが判った。
【０００６】
したがって、仮令剥離部分に空気が侵入しても、侵入した空気が素材表面と表面材との間で押圧された際に、スムースに外部に排出されるようにすれば、剥離領域の拡大を防止することができるものと予想される。
【０００７】
本考案は、かかる知見に基づきなされたもので、素材表面と表面材との間に侵入した空気をスムースに外部に排出して剥離領域の拡大を防止することができるプラスチック段ボール函を提供することを目的とする。
【０００８】
本考案の他の目的は、少ない小孔の量で剥離領域の拡大を有効に防止することができるプラスチック段ボール函を提供するにある。
【０００９】
本考案のさらに他の目的は、ディスプレイや広告宣伝用媒体としても利用することができるプラスチック段ボール函を提供するにある。
【００１０】
【課題を解決するための手段】
前記目的を達成するため本考案は、押出し一体成型により形成される中空のプラスチック段ボール板の素材表面に、合成樹脂シート又はフィルム製の表面材が接合されている板材で形成した函体からなり、前記表面材に、任意数の小孔を設けるようにしたことを特徴とする。そしてこれにより、素材表面と表面材との間の剥離部分に外部から空気が侵入した場合であっても、侵入した空気が素材表面と表面材との間で押圧された際に、前記小孔からスムースに外部に排出されることになる。このため、侵入した空気が剥離力として作用せず、剥離領域の拡大を防止することが可能となる。
【００１１】
本考案はまた、小孔を函体の各面における周縁近傍位置に設けるようにしたことを特徴とする。ところで、素材表面と表面材との間の剥離は、必ずしも函体の各面における周縁近傍位置にのみ生じるわけではないが、剥離部分への外部空気の侵入は、当然のことながら、函体の各面における周縁近傍位置で生じることになる。このため、この部分に小孔を設けることで、少ない小孔の量で剥離領域の拡大を有効に防止することが可能となる。
【００１２】
本考案はさらに、表面材に美粧印刷を施すようにしたことを特徴とする。そしてこれにより、プラスチック段ボール函を、ディスプレイや広告宣伝用媒体として利用することが可能となる。
【００１３】
【考案の実施の形態】
以下、本考案を図面を参照して説明する。
図１は、本考案の実施の一形態に係るプラスチック段ボール函を示すもので、このプラスチック段ボール函１は、表裏２枚のプラスチック薄板２ａ、２ｂと、これら両プラスチック薄板２ａ、２ｂ間に配される多数のリブ２ｃとからなる中空のプラスチック段ボール板２を用いて製作され、このプラスチック段ボール板２は、例えば軽量で強度・耐久性に富み、加工性もよいｐｐ等の合成樹脂材料を用い、押出し一体成型で形成されるようになっている。
【００１４】
前記プラスチック段ボール板２の一部又は前面の素材表面には、図１に示すように、絵柄、写真あるいは文字等の美粧印刷３ａが施されている合成樹脂シート又はフィルム製の表面材３が接合されており、この表面材３も、プラスチック段ボール板２と同種のｐｐ等の合成樹脂材料で形成され、分別処理の際の利便性の向上が図られている。
【００１５】
前記表面材３の周縁近傍位置、すなわちプラスチック段ボール函１の各面における周縁近傍位置には、図１に示すように、多数の小孔４が設けられており、これら各小孔４は、後に詳述するように、プラスチック段ボール板２と表面材３との間に侵入した空気の空気抜き孔として使用されるようになっている。
【００１６】
次に、本実施の形態の作用について説明する。
前述のように、プラスチック段ボール板２の表面は、わずかではあるが凹凸面となっているため、その表面に表面材３を接合した場合、接合面の接合強度に斑が生じることになる。このため，接合強度の弱い部分に剥離が生じるおそれがある。
【００１７】
剥離が生じた場合、その位置が表面材３の中央部である場合には、この剥離部分に外部から空気が侵入することはなく、したがって、剥離が生じても、この剥離が侵入した空気によって伸展するといったおそれは極めて少ない。
【００１８】
一方、図２に示すように、表面材３の周縁近傍位置に剥離５が生じた場合には、プラスチック段ボール函１の蓋開放動作等により、プラスチック段ボール板２の表面と表面材３との間の隙間がわずかに広くなった際に、空気出入口５ａから外部の空気が剥離５内部に侵入することになる。
【００１９】
この侵入した空気は、プラスチック段ボール函１の蓋閉止動作等により、プラスチック段ボール板２の表面と表面材３との間の隙間がわずかに狭くなった際に、剥離５内で押圧されることになる。
【００２０】
この際、押圧された空気の全量が、剥離５の空気出入口５ａからスムースに外部に排出されれば、剥離５が伸展するおそれはないが、ほとんどの場合は、侵入した空気が空気出入口５ａからスムースに外部に排出されることはなく、侵入した空気の何割かは、剥離５内に封じ込められた状態となる。そしてこの場合には、封じ込められた空気が、剥離５を矢印Ａ、Ｂ、Ｃの方向に伸展させる力として作用し、剥離５の領域が次第に拡大することになる。
【００２１】
ところが、本実施の形態においては、表面材３の周縁近傍位置に小孔４が設けられているので、剥離５内に封じ込められた空気が、この小孔４からスムースに外部に排出されることになる。このため、剥離５が矢印Ａ、Ｂ、Ｃの方向に伸展するのを有効に防止することができる。
【００２２】
しかして、表面材３に小孔４を設けるようにしているので、剥離５内に外部から空気が侵入しても、剥離５の領域が拡大するのを防止することができる。
【００２３】
なお、前記実施の一形態においては、表面材３の表面に美粧印刷３ａを施す場合について説明したが、美粧印刷３ａは省略するようにしてもよい。
【００２４】
【考案の効果】
以上説明したように本考案は、中空のプラスチック段ボール板の素材表面に接合される表面材に、任意数の小孔を形成するようにしているので、素材表面と表面材との間に外部から空気が侵入した場合であっても、侵入した空気をスムースに小孔から外部に排出することができる。このため、剥離領域が侵入した空気によって拡大するのを防止することができる。
【００２５】
本考案はまた、小孔を函体の各面における周縁近傍位置に設けるようにしているので、少ない小孔の量で、剥離領域の拡大を有効に防止することができる。
【００２６】
本考案はさらに、表面材に美粧印刷を施すようにしているので、プラスチック段ボール函を、ディスプレイや広告宣伝用媒体として利用することができる。
【図面の簡単な説明】
【図１】本考案の実施の一形態に係るプラスチック段ボール函を示す説明図である。
【図２】小孔によって剥離領域が拡大するのを防止することができる理由を示す説明図である。
【符号の説明】
１　　　　　　プラスチック段ボール函
２　　　　　　プラスチック段ボール板
２ａ、２ｂ　　プラスチック薄板
２ｃ　　　　　リブ
３　　　　　　表面材
３ａ　　　　　美粧印刷
４　　　　　　小孔
【図１】
0003098914.tif 000003
【図２】
0003098914.tif 000004